(57)【特許請求の範囲】
【請求項１】
各々が異なる方角を向いた状態で建物の複数の外壁に設置され、かつ前記建物の室内の天井裏を換気する複数の換気扇と、
前記複数の換気扇の各々を制御するコントローラと、を備え、
前記複数の換気扇の各々は、シャッターを有し、
前記コントローラは、
前記建物の周囲の風の向きを示す風向情報と、前記建物の周囲の風の風速を示す風速情報とを取得し、
前記建物の外気の温度が前記室内の温度よりも低い場合、
前記風速が予め定められた第１の閾値以上であることを条件に、前記複数の換気扇の各々のシャッターを閉状態に制御し、
前記風速が前記第１の閾値よりも小さく、かつ予め定められた第２の閾値以上であることを条件に、前記複数の換気扇の各々の駆動を停止するとともに、前記複数の換気扇の各々のシャッターを開状態に制御し、
前記風速が前記第２の閾値よりも小さいことを条件に、前記風向情報に基づき、前記複数の換気扇のうち風下に位置する換気扇から前記天井裏の空気が前記建物の外に排気されるように、前記風下に位置する換気扇を駆動し、かつ、前記複数の換気扇のうち風上に位置する換気扇から前記建物の外の空気が前記天井裏に給気されるように、前記風上に位置する換気扇を駆動する、換気システム。
【請求項２】
前記コントローラは、
前記建物の周囲の降雨の有無を表す降雨情報を取得し、
前記降雨情報が降雨を示している場合、前記複数の換気扇の各々の駆動を停止させる、請求項１に記載の換気システム。
【請求項３】
前記コントローラは、前記降雨情報が降雨を示している場合、各前記シャッターを閉状態とする、請求項２に記載の換気システム。
【請求項４】
前記建物の周囲の風の向きを検出するセンサをさらに備え、
前記コントローラは、前記センサから前記風向情報を取得する、請求項１から３のいずれか１項に記載の換気システム。
【請求項５】
各々が異なる方角を向いた状態で建物の複数の外壁に設置され、かつ前記建物の室内の天井裏を換気する複数の換気扇の各々を制御するコントローラであって、前記複数の換気扇の各々は、シャッターを有し、
前記建物の周囲の風の向きを示す風向情報を取得する風向取得手段と、
前記建物の周囲の風の風速を示す風速情報を取得する風速取得手段と、
前記複数の換気扇の各々を制御する制御指令を生成する指令生成手段と、
前記制御指令を前記複数の換気扇の各々に送信する送信手段と、を備え、
前記指令生成手段は、前記建物の外気の温度が前記室内の温度よりも低い場合、
前記風速が予め定められた第１の閾値以上であることを条件に、前記複数の換気扇の各々のシャッターを閉状態に制御する制御指令を生成し、
前記風速が前記第１の閾値よりも小さく、かつ予め定められた第２の閾値以上であることを条件に、前記複数の換気扇の各々の駆動を停止するとともに、前記複数の換気扇の各々のシャッターを開状態に制御する制御指令を生成し、
前記風速が前記第２の閾値よりも小さいことを条件に、前記風向情報に基づき、前記複数の換気扇のうち風下に位置する換気扇から前記天井裏の空気が前記建物の外に排気されるように、前記風下に位置する換気扇を駆動し、かつ、前記複数の換気扇のうち風上に位置する換気扇から前記建物の外の空気が前記天井裏に給気されるように、前記風上に位置する換気扇を駆動する制御指令を生成する、コントローラ。
【請求項６】
建物の周囲の風の向きを示す風向情報を取得するステップと、
前記建物の周囲の風の風速を示す風速情報を取得するステップと、
各々が異なる方角を向いた状態で前記建物の複数の外壁に設置され、かつ前記建物の室内の天井裏を換気する複数の換気扇の各々を制御するステップと、を備え、
前記複数の換気扇の各々を制御するステップは、前記建物の外気の温度が前記室内の温度よりも低い場合、
前記風速が予め定められた第１の閾値以上であることを条件に、前記複数の換気扇の各々のシャッターを閉状態に制御するステップと、
前記風速が前記第１の閾値よりも小さく、かつ予め定められた第２の閾値以上であることを条件に、前記複数の換気扇の各々の駆動を停止するとともに、前記複数の換気扇の各々のシャッターを開状態に制御するステップと、
前記風速が前記第２の閾値よりも小さいことを条件に、前記風向情報に基づき、前記複数の換気扇のうち風下に位置する換気扇から前記天井裏の空気が前記建物の外に排気されるように、前記風下に位置する換気扇を駆動し、かつ、前記複数の換気扇のうち風上に位置する換気扇から前記建物の外の空気が前記天井裏に給気されるように、前記風上に位置する換気扇を駆動するステップとを含む、換気扇の制御方法。
【発明の詳細な説明】
【技術分野】
【０００１】
本開示は、換気システム、コントローラ、および換気扇の制御方法に関する。
【背景技術】
【０００２】
従来、建物の天井裏を熱交換用の空間（チャンバー）として利用するシステムが知られている。【０００３】
たとえば、特開２０１４−４８０２２号公報（特許文献１）には、このようなシステムとして、天井チャンバー（天井裏）に外気を導入する給気送風機と、天井チャンバーの外気を室内へ導入する吹出口と、天井チャンバーの空気を排出する排気口と、天井チャンバー内の潜熱蓄熱材とを備える空気調和システムが開示されている。【０００４】
当該空気調和システムでは、夜間においては、給気送風機と排気送風機との運転により冷たい外気を天井裏に導入することにより潜熱蓄熱材を冷やすとともに、導入した外気を排気口から排出する。このように、夜間においては、給気送風機と排気送風機とを天井裏用の換気扇として利用する。一方、昼間においては、給気送風機を運転して暖かい外気を天井裏に導入することにより、当該外気を夜間のうちに冷やした潜熱蓄熱材により冷やす。冷やされた外気は、排気口から排出されることなく、室内に供給される。
【先行技術文献】
【特許文献】
【０００５】
【特許文献１】特開２０１４−４８０２２号公報
【発明の概要】
【発明が解決しようとする課題】
【０００６】
天井裏の空気を効率良く冷やすためには、特許文献１における夜間の状態のように、天井裏に設置された換気扇を駆動する必要がある。しかしながら、換気扇の駆動に要する費用に対して、換気扇の駆動により得られる効果は高いとは言えない。【０００７】
本開示は、換気扇の駆動に要する費用を低減可能な換気システム、換気システムを構成するコントローラ、および換気システムを構成する換気扇の制御方法を提供する。
【課題を解決するための手段】
【０００８】
本開示のある局面に従うと、換気システムは、各々が異なる方角を向いた状態で建物に設置され、かつ建物の室内の天井裏を換気する複数の換気扇と、各換気扇の動作を制御するコントローラと、を備える。コントローラは、建物の周囲の風の向きを示す風向情報を取得する。コントローラは、建物の外気の温度が室内の温度よりも低いことを条件に、風向情報に基づき各換気扇の動作を制御する。【０００９】
本開示の他の局面に従うと、コントローラは、建物の周囲の風の向きを示す風向情報を取得する風向取得手段と、各々が異なる方角を向いた状態で建物に設置され、かつ建物の室内の天井裏を換気する複数の換気扇の動作を制御する制御指令を生成する指令生成手段と、制御指令を各換気扇に送信する送信手段と、を備える。指令生成手段は、建物の外気の温度が室内の温度よりも低いことを条件に、風向情報に基づき制御指令を生成する。【００１０】
本開示のさらに他の局面に従うと、換気扇の制御方法は、建物の周囲の風の向きを示す風向情報を取得するステップと、各々が異なる方角を向いた状態で建物に設置され、かつ建物の室内の天井裏を換気する複数の換気扇の動作を制御するステップと、を備える。複数の換気扇の動作を制御するステップでは、建物の外気の温度が室内の温度よりも低いことを条件に、風向情報に基づき各換気扇の動作を制御する。
【発明の効果】
【００１１】
本開示によれば、換気扇の駆動に要する費用を低減可能となる。
【図面の簡単な説明】
【００１２】
【図１】建物の断面を表した断面図である。
【図２】図１におけるＩＩ−ＩＩ線矢視断面図である。
【図３】換気扇の側面図である。
【図４】図３におけるＩＶ−ＩＶ線矢視断面図である。
【図５】風の向きを説明するための図である。
【図６】コントローラが参照するデータテーブルである。
【図７】検出された風向きが図５のＮｏ．１の方向である場合における天井裏の換気状態を説明するための図である。
【図８】検出された風向きが図５のＮｏ．４の方向である場合における天井裏の換気状態（風の流れ）を説明するための図である。
【図９】コントローラの機能的構成を説明するための機能ブロック図である。
【図１０】コントローラが実行する処理の流れを表したフロー図である。
【図１１】コントローラのハードウェア構成の典型例を表した図である。
【発明を実施するための形態】
【００１３】
以下、図面を参照しつつ、実施の形態について説明する。以下の説明では、同一の部品には同一の符号を付してある。それらの名称および機能も同じである。したがって、それらについての詳細な説明は繰り返さない。
【００１４】
なお、「方角」とは、後述する建物からの方位を意味する。「方角」とは、建物を基準とした方位（具体的には、平面方位）を用いて説明する。詳しくは、平面方位のうち点画式を用いる。より詳しくは、８方位（東、西、南、北、北東、南東、北西、南西）を用いて説明する。８方位に限定されず、４方位、１６方位、３２方位であってもよい。また、点画式の代わりに、３６０度式を用いてもよい。３６０度式の場合、方角は、方位角（水平面内での角度）として表記される。方角は、水平面内における方向である。
【００１５】
「外壁」とは、建物内部と外界（建物外部）との境にある壁を意味する。外壁は、建物内部の各室内を仕切ったり、あるいは室内と廊下とを仕切ったりする壁（すなわち、内壁）とは異なるものである。
【００１６】
＜Ａ．技術思想の概要＞
本実施の形態に係る換気システムは、「各々が異なる方角を向いた状態で建物に設置され、かつ建物の室内の天井裏を換気する複数の換気扇」を備える。たとえば、換気システムでは、建物の複数の外壁の各々に換気扇が設けられている。典型的には、複数の外壁の各々に形成された貫通穴に換気扇が設置されている。各換気扇は、コントローラによって動作が制御される。
【００１７】
詳しくは、コントローラは、建物の周囲の風の向きを示す風向情報を取得する。コントローラは、建物の外気の温度が室内の温度よりも低いことを条件に、取得された風向情報に基づき各換気扇の動作を制御する。
【００１８】
典型的には、コントローラは、複数の換気扇のうち風下に位置する換気扇から天井裏の空気が建物の外に排気されるように、当該風下に位置する換気扇を動作させる。また、コントローラは、複数の換気扇のうち風上に位置する換気扇から建物の外の空気が天井裏に給気されるように、当該風上に位置する換気扇を動作させる。
【００１９】
上記のように、建物の外気の温度が室内の温度よりも低いことを条件に換気扇が動作するため、天井裏に室内の温度よりも低い外気（冷気）が給気されるともに、天井裏の空気が建物の外部に排気される。天井裏の空気には、室内の熱が天井を介して伝導する。これにより、室内が冷やされる。
【００２０】
また、風向情報に基づき各換気扇の動作を制御するため、風の力を補助として換気扇を駆動することが可能となる。したがって、本実施の形態に係る換気システムでは、風向を考慮しない換気システムに比べて、換気扇の駆動に要する費用を低減可能となる。
【００２１】
上記の制御は、特にナイトパージに好適である。なお、「ナイトパージ」とは、夜間または早朝の外気が室内の温度よりも低い場合に、涼しい外気を建物に取り込んでおき、建物に蓄積された熱を逃がしておくことである。
【００２２】
また、上記の制御は、外気冷房の際にも適用できる。外気冷房の場合、中間期（春、秋等の冷房運転および暖房運転が少ない期間）において上記の制御が適用し得る。外気冷房の場合、上記の制御は、日中であっても夜間であっても適用できる。上記の制御は、外気冷房の補助となり得る。
【００２３】
以下、このような構成の具体例を図面に基づいて説明する。
＜Ｂ.システム構成＞
図１は、建物９００の断面を表した断面図である。建物９００は、典型的にはオフィスビルである。
【００２４】
図１を参照して、建物９００は、複数の外壁９０１と、複数の窓９０２と、屋上９０３と、室内９４０と、天井９５０と、天井裏９６０と、床面９７０と、床下９８０とを備える。天井裏９６０は、熱交換用の空間（チャンバー）として利用される。
【００２５】
換気システム１は、コントローラ１１０と、温度センサ１２０と、温度センサ１３０と、風向風速計１４０と、感雨センサ１５０と、複数の換気扇５００とを備える。コントローラ１１０は、温度センサ１２０と、温度センサ１３０と、風向風速計１４０と、感雨センサ１５０と、複数の換気扇５００とに通信可能に接続されている。
【００２６】
本例では、複数の外壁９０１の各々に、少なくとの１つの換気扇５００が設置されている。詳しくは、各換気扇５００は、外壁９０１に形成された貫通穴９０９に設置されている。より詳しくは、各換気扇５００は、室内９４０の天井裏９６０を換気するために、天井裏９６０を構成する外壁９０１の貫通穴９０９に設置されている。
【００２７】
本例では、１つの換気扇５００が、１つの貫通穴９０９に埋め込まれている。また、少なくとも、換気扇５００の筐体が貫通穴９０９に収容されている。貫通穴９０９は、典型的には、換気扇５００を設置するために建物９００の外壁の一部をくり抜くことにより生成される。
【００２８】
各換気扇５００は、給気動作と排気動作とが可能である。各換気扇５００は、羽を回転させるモータを正回転および逆回転させることより、給気と排気とが可能である。本例では、各換気扇５００は、羽を左回転（モータの逆回転の方向）に回転させることにより、外気を天井裏９６０へと供給する。各換気扇５００は、羽を右回転（モータの正回転の方向）に回転させることにより、天井裏９６０の空気を建物９００の外へと排出する。
【００２９】
温度センサ１２０は、室内９４０に設置されている。詳しくは、温度センサ１２０は、換気扇５００が設置された天井裏９６０の真下の室内９４０に設置されている。温度センサ１２０は、室内９４０の温度を検出（測定）する。
【００３０】
温度センサ１３０は、建物９００の屋上９０３に設置されている。温度センサ１３０は、建物９００の周囲の外気の温度を検出する。なお、温度センサ１３０は、建物９００の周囲の外気の温度を検出できればよいため、必ずしも屋上９０３に設置される必要はない。
【００３１】
温度センサ１２０，１３０は、検出結果をコントローラ１１０に通知する。具体的には、温度センサ１２０，１３０は、電気信号（温度を示す情報）をコントローラ１１０に送信する。
【００３２】
風向風速計１４０は、屋上９０３に設置されている。風向風速計１４０は、建物９００の周囲（本例では、屋上９０３）に吹く風の向き、および当該風の風速を検出（測定）する。風向風速計１４０は、検出結果を、コントローラ１１０に通知する。なお、風向風速計１４０は、建物９００の周囲の風の向きおよび風速を検出できればよいため、温度センサ１３０と同様、必ずしも屋上９０３に設置される必要はない。ただし、屋上９０３の方が他の場所よりも風向および風速の検出に適しているため、風向風速計１４０は屋上９０３に設置されることが好ましい。
【００３３】
感雨センサ１５０は、屋上９０３に設置されている。感雨センサ１５０は、少なくとも、降雨を検出する。感雨センサ１５０の代わりに、雨量を検出可能なセンサを用いてもよい。なお、感雨センサ１５０は、降雨の有無を検出できればよいため、必ずしも屋上９０３に設置される必要はない。ただし、屋上９０３の方が他の場所よりも降雨の検出に適しているため、感雨センサ１５０は屋上９０３に設置されることが好ましい。
【００３４】
コントローラ１１０は、本例では、天井裏９６０に設置されている。しかしながら、コントローラ１１０の設置場所は天井裏９６０に限定されるものではない。
【００３５】
コントローラ１１０は、温度センサ１２０から受信した電気信号の電圧値に基づき、室内９４０の温度（以下、「室温」とも称する）を判断する。コントローラ１１０は、温度センサ１３０から受信した電気信号の電圧値に基づき、建物９００の周囲の外気の気温（以下、「外気温」とも称する）を判断する。
【００３６】
本例では、コントローラ１１０は、温度センサ１２０，１３０による検出結果に基づき、建物９００の外気温が室温度よりも低いか否かを判断する。コントローラ１１０は、建物９００の外気温が室温よりも低いことを条件に、換気扇５００を駆動することによって天井裏９６０の換気を行う。
【００３７】
詳細については後述するが、コントローラ１１０は、風向風速計１４０による検出結果に基づいて、各換気扇５００の動作を制御する。また、コントローラ１１０は、感雨センサ１５０による検出結果に基づいて、各換気扇の動作を制御する。
【００３８】
上述した換気を行った場合、天井裏９６０の温度の方が、室温よりも低くなる。したがって、室内９４０と天井裏９６０との間で、天井９５０を介した熱交換が行われる（矢印８９０参照）。具体的には、室内９４０の熱が天井裏９６０に伝導することにより、室温が低下する。
【００３９】
天井裏９６０に伝導した熱は、換気扇５００の駆動によって建物９００の外部へ放出される。また、換気扇５００によって、新たな外気（冷気）が天井裏９６０に供給される。このような熱交換サイクルが実行されるため、室内９４０は徐々に冷やされる。
【００４０】
図２は、図１におけるＩＩ−ＩＩ線矢視断面図である。
図２を参照して、建物９００は、エレベータ、階段等が設置されるコア９９０を有する。コア９９０は、建物９００を上下に貫いている。したがって、天井裏９６０は、図２に示した建物９００の断面のうち、コア９９０のエリアを除いたエリアとなる。なお、図２では、便宜上、コントローラ１１０を図示していない。
【００４１】
外壁９０１には、換気扇５００が設置されている。詳しくは、複数の換気扇５００が、異なる方角を向いた状態で建物９００の複数の外壁９０１に設置されている。より詳しくは、天井裏９６０と建物９００の外部とを繋ぐ吸排気可能な換気扇５００が、建物９００において複数の方向を向くように複数個配置されている。各換気扇５００は、建物９００における、天井裏９６０に対応する箇所に設置されている。
【００４２】
本例では、説明の便宜上、建物９００が、複数の外壁９０１として、東側の外壁９０１と、西側の外壁９０１と、南側の外壁９０１と、北側の外壁９０１とを備えるものとする。また、東側の外壁９０１と、西側の外壁９０１と、南側の外壁９０１と、北側の外壁９０１との各々に、換気扇５００が設置されているものとする。
【００４３】
詳しくは、本例では、北側の外壁９０１に、４つの換気扇５００（５００＿ａ１〜５００＿ａ４）が設置されている。東側の外壁９０１に、４つの換気扇５００（５００＿ｂ１〜５００＿ｂ４）が設置されている。南側の外壁９０１に、４つの換気扇５００（５００＿ｃ１〜５００＿ｃ４）が設置されている。西側の外壁９０１に、４つの換気扇５００（５００＿ｄ１〜５００＿ｄ４）が設置されている。
【００４４】
詳しくは、換気扇５００＿ａ１〜５００＿ａ４は、北向きに設置されている。換気扇５００＿ｂ１〜５００＿ｂ４は、東向きに設置されている。換気扇５００＿ｃ１〜５００＿ｃ４は、南向きに設置されている。換気扇５００＿ｄ１〜５００＿ｄ４は、西向きに設置されている。
【００４５】
各方角（方位）の外壁９０１における換気扇５００の数（４個）は例示であって、これに限定されるものではない。建物９００等の形状および大きさによって、換気扇５００の数は適宜決定される。また、換気扇５００を設置する貫通穴９０９の数が決定される。
【００４６】
なお、各外壁９０１に設けられた各換気扇５００のうちの任意の１つの換気扇５００（たとえば、換気扇５００＿ａ１，５００＿ｂ１，５００＿ｃ１，５００＿ｄ１）に着目すると、換気システム１は、「各々が異なる方角を向いた状態で建物９００に設置され、かつ建物９００の室内９４０の天井裏９６０を換気する複数の換気扇５００」を備えると言える。
【００４７】
以下では、説明の便宜上、北側の外壁９０１に設置された４つの換気扇５００＿ａ１〜５００＿ａ４からなる換気扇群を、「第１換気扇群５０Ａ」と称する。同様に、東側の外壁９０１に設置された４つの換気扇５００＿ｂ１〜５００＿ｂ４からなる換気扇群を、「第２換気扇群５０Ｂ」と称する。南側の外壁９０１に設置された４つの換気扇５００＿ｃ１〜５００＿ｃ４からなる換気扇群を、「第３換気扇群５０Ｃ」と称する。西側の外壁９０１に設置された４つの換気扇５００＿ｄ１〜５００＿ｄ４からなる換気扇群を、「第４換気扇群５０Ｄ」と称する。さらに、第１換気扇群５０Ａから第４換気扇群５０Ｄのうちの任意の１つの換気扇群を、「換気扇群５０」とも称する。
【００４８】
＜Ｃ.換気扇＞
図３は、換気扇の側面図である。
【００４９】
図３を参照して、換気扇５００は、筐体５４０と、フィルタ５６０と、シャッター５７０とを備える。
【００５０】
シャッター５７０は、コントローラ１１０からの指示に基づき、開閉が可能である。シャッター５７０は、雨水の侵入防止、換気扇５００の損傷防止、昼間において暑い外気が天井裏９６０に流入することを防止するために設けられている。なお、シャッター５７０を開閉するタイミングについては後述する。
【００５１】
フィルタ５６０は、雨水および虫等がシャッター５７０から筐体５４０の内部に侵入することを防止する。フィルタ５６０は、主面が図のＸＹ平面に平行な状態で設置されている。
【００５２】
図４は、図３におけるＩＶ−ＩＶ線矢視断面図である。
図４を参照して、換気扇５００は、羽５５０をさらに備える。羽５５０は、筐体５４０に設けられたモータ（図示せず）に取り付けられている。羽５５０は、モータの回転（正回転、逆回転）により、矢印のＡ方向とＢ方向とに回転する。なお、本例では、Ａ方向が右回転（モータの正回転）の方向である。羽５５０がＡ方向に回転すると、天井裏９６０から排気が行われる。Ｂ方向が左回転（モータの逆回転）の方向である。羽５５０がＢ方向に回転すると、天井裏９６０への給気が行われる。
【００５３】
なお、上述した換気扇５００の設置の向きは、図示したＺ軸の正の向きを意味する。
＜Ｄ．換気扇の制御＞
換気システム１では、建物９００の周囲に自然に吹く風の方向を計測し、当該風の向きに逆らわないように換気扇５００の吸排気方向を制御する。すなわち、風の力を補助として、天井裏９６０の空気と外気とを入れ換える。以下、このような換気扇５００の制御例を説明する。
【００５４】
図５は、風の向きを説明するための図である。
図５を参照して、本例では、風向きを８つ（Ｎｏ．１〜Ｎｏ．８）に区分する。Ｎｏ．１の向きは北向きである。同様に、Ｎｏ．２〜Ｎｏ．８の向きは、それぞれ、北東の向き、東向き、南東の向き、南向き、南西の向き、西向き、北西の向きである。なお、これらの８つの向きは、建物９００を中心とした向きである。なお、さらに細かく風向きを区分してもよい。
【００５５】
コントローラ１１０は、上述したように、風向風速計１４０からの出力に基づき、建物９００の周囲の風の向きを示す風向情報を取得する。本例では、コントローラ１１０は、風向情報として、上述した８つの向き（図５参照）のいずれかを取得する。たとえば、コントローラ１１０は、風向風速計１４０から出力される風の向き（たとえば０度から３６０度）を、８つの区分のいずれかに区分する。
【００５６】
図６は、コントローラ１１０が参照するデータテーブルＤ６である。なお、データテーブルＤ６は、コントローラ１１０に予め記憶されている。
【００５７】
図６を参照して、コントローラ１１０は、建物９００の外気温が室温よりも低いことを条件に、風向情報に基づき各換気扇５００の動作を制御する。その際、コントローラ１１０は、データテーブルＤ６を参照して、各換気扇５００の動作を決定する。
【００５８】
データテーブルＤ６では、換気扇５００の羽５５０を給気が行われる方向に回転させるか、換気扇５００の羽５５０を排気が行われる方向に回転させるか、あるいは、羽５５０の回転を停止させるかが規定されている。
【００５９】
データテーブルＤ６における「排気」とは、建物９００の外部に天井裏９６０の空気を排出する方向に換気扇５００を回転させることを意味する。同様に、「給気」とは、建物９００の外部から天井裏９６０に空気を取り込む方向に換気扇５００を回転させることを意味する。
【００６０】
たとえば検出された風向きが、図５のＮｏ．１の方向（すなわち北向き）である場合、コントローラ１１０は、建物９００の外気温が室温よりも低いことを条件に、第１換気扇群５０Ａの４つの換気扇５００＿ａ１〜５００＿ａ４の羽５５０（直接的にはモータ）を、天井裏９６０の空気が建物９００の外部に排気される方向に回転させる。また、この場合、コントローラ１１０は、第３換気扇群５０Ｃの４つの換気扇５００＿ｃ１〜５００＿ｃ４の羽５５０を、外気が天井裏９６０に給気される方向に回転させる。
【００６１】
なお、コントローラ１１０は、第２換気扇群５０Ｂの換気扇５００＿ｂ１〜５００＿ｂ４と、第４換気扇群５０Ｄの５００＿ｄ１〜５００＿ｄ４とが停止状態となるように、換気扇５００＿ｂ１〜５００＿ｂ４，５００＿ｄ１〜５００＿ｄ４を制御する。停止状態とする理由は、換気扇５００＿ｂ１〜５００＿ｂ４，５００＿ｄ１〜５００＿ｄ４は、北向きの風の力を、回転の補助として利用できないためである。
【００６２】
また、検出された風向きが、図５のＮｏ．４の方向（すなわち南東の向き）である場合、コントローラ１１０は、建物９００の外気温が室温よりも低いことを条件に、第１換気扇群５０Ａの４つの換気扇５００＿ａ１〜５００＿ａ４の羽５５０を、外気が天井裏９６０に給気される方向に回転させる。同様に、コントローラ１１０は、第４換気扇群５０Ｄの４つの換気扇５００＿ｄ１〜５００＿ｄ４の羽５５０を、外気が天井裏９６０に給気される方向に回転させる。
【００６３】
さらに、この場合、コントローラ１１０は、第２換気扇群５０Ｂの４つの換気扇５００＿ｂ１〜５００＿ｂ４の羽５５０を、天井裏９６０の空気が建物９００の外部に排気される方向に回転させる。同様に、コントローラ１１０は、第３換気扇群５０Ｃの４つの換気扇５００＿ｃ１〜５００＿ｃ４の羽５５０を、天井裏９６０の空気が建物９００の外部に排気される方向に回転させる。
【００６４】
風向きが他の向きの場合（すなわち、Ｎｏ．２，Ｎｏ．３,Ｎｏ．５〜Ｎｏ．８の向きの場合）にも、コントローラ１１０は、同様に、データテーブルＤ６における規定に基づき、換気扇５００の動作を制御する。具体的には、コントローラ１１０は、各換気扇５００を駆動させたり、あるいは停止させたりする。詳しくは、コントローラ１１０は、給気と排気とを切り替えるため、駆動時における羽５５０の回転方向を制御する。
【００６５】
なお、無風の場合には、コントローラ１１０は、データテーブルＤ６を参照して、全ての換気扇５００を動作させる。具体的には、本例の場合、第１換気扇群５０Ａおよび第２換気扇群５０Ｂの８つの換気扇５００（５００＿ａ１〜５００＿ａ４，５００＿ｂ１〜５００＿ｂ４）の羽５５０を、天井裏９６０の空気が建物９００の外部に排気される方向に回転させる。第３換気扇群５０Ｃおよび第４換気扇群５０Ｄの８つの換気扇５００（５００＿ｃ１〜５００＿ｃ４，５００＿ｄ１〜５００＿ｄ４）の羽５５０を、天井裏９６０の空気が建物９００の外部に排気される方向に回転させる。
【００６６】
図７は、検出された風向きが図５のＮｏ．１の方向（すなわち矢印６１０で示す北向き）である場合における天井裏９６０の換気状態（空気の流れ）を説明するための図である。
【００６７】
図７を参照して、コントローラ１１０は、図６に基づいて説明したように、南側の外壁９０１に設置された換気扇５００＿ｃ１〜５００＿ｃ４によって、外気（すなわち冷気）を天井裏９６０に供給する。詳しくは、コントローラ１１０は、複数の換気扇５００のうち風上に位置する換気扇５００＿ｃ１〜５００＿ｃ４から建物の外の空気が天井裏に給気されるように、当該風上に位置する換気扇５００＿ｃ１〜５００＿ｃ４を動作させる。
【００６８】
さらに、コントローラ１１０は、北側の外壁９０１に設置された換気扇５００＿ａ１〜５００＿ａ４によって、天井裏９６０の空気を建物９００の外部に排出する。詳しくは、コントローラ１１０は、複数の換気扇５００のうち風下に位置する換気扇５００＿ａ１〜５００＿ａ４から天井裏の空気が建物の外に排気されるように、当該風下に位置する換気扇５００＿ａ１〜５００＿ａ４を動作させる。
【００６９】
コントローラ１１０による上述した換気扇５００の制御によって、天井裏９６０では、矢印７１０で示した方向の空気の流れが生じる。すなわち、天井裏９６０の換気が行われる。具体的には、暖気を冷気で喚起する処理が行われる。
【００７０】
この際、換気扇５００＿ｃ１〜５００＿ｃ４は、換気扇５００＿ａ１〜５００＿ａ４の風上に位置し、かつ風を正面（南側）から直接受ける。それゆえ、換気扇５００＿ｃ１〜５００＿ｃ４に排気動作を行わせるよりも上述した給気動作を行わせる方が、換気扇５００＿ｃ１〜５００＿ｃ４の回転に要する駆動力を小さくできる。すなわち、換気扇５００＿ｃ１〜５００＿ｃ４の消費電力を低減できる。
【００７１】
一方、換気扇５００＿ａ１〜５００＿ａ４は、換気扇５００＿ｃ１〜５００＿ｃ４の風下に位置し、かつ風を直接的には受けない。また、換気扇５００＿ｃ１〜５００＿ｃ４によって天井裏９６０に外気が供給される。それゆえ、換気扇５００＿ａ１〜５００＿ａ４に上述した排気動作を行わせることにより、効率的な天井裏９６０の換気が実現できる。
【００７２】
図８は、検出された風向きが図５のＮｏ．４の方向（すなわち矢印６２０で示す南東の向き）である場合における天井裏９６０の換気状態（空気の流れ）を説明するための図である。
【００７３】
図８を参照して、コントローラ１１０は、図６に基づいて説明したように、北側の外壁９０１に設置された換気扇５００＿ａ１〜５００＿ａ４と西側の外壁９０１に設置された換気扇５００＿ｄ１〜５００＿ｄ４とによって、外気（すなわち冷気）を天井裏９６０に供給する。詳しくは、コントローラ１１０は、複数の換気扇５００のうち風上に位置する換気扇５００＿ａ１〜５００＿ａ４，５００＿ｄ１〜５００＿ｄ４から建物９００の外の空気が天井裏９６０に給気されるように、当該風上に位置する換気扇５００＿ａ１〜５００＿ａ４，５００＿ｄ１〜５００＿ｄ４を動作させる。
【００７４】
さらに、東側の外壁９０１に設置された換気扇５００＿ｂ１〜５００＿ｂ４と南側の外壁９０１に設置された換気扇５００＿ｃ１〜５００＿ｃ４とによって、天井裏９６０の空気を建物９００の外部に排出する。詳しくは、コントローラ１１０は、複数の換気扇５００のうち風下に位置する換気扇５００＿ｂ１〜５００＿ｂ４，５００＿ｃ１〜５００＿ｃ４から天井裏の空気が建物の外に排気されるように、当該風下に位置する換気扇５００＿ｂ１〜５００＿ｂ４，５００＿ｃ１〜５００＿ｃ４を動作させる。
【００７５】
コントローラ１１０による上述した換気扇５００の制御によって、天井裏９６０では、矢印７２０で示した方向の空気の流れが生じる。すなわち、天井裏９６０の換気が行われる。具体的には、暖気を冷気で喚起する処理が行われる。
【００７６】
この際、換気扇５００＿ａ１〜５００＿ａ４および換気扇５００＿ｄ１〜５００＿ｄ４は、換気扇５００＿ｂ１〜５００＿ｂ４および換気扇５００＿ｃ１〜５００＿ｃ４の風上に位置し、かつ風を斜め方向から直接受けるため、排気動作を行うよりも上述した給気動作を行う方が換気扇５００の回転に要する駆動力を小さくできる。すなわち、当該換気扇５００の消費電力を低減できる。
【００７７】
一方、換気扇５００＿ｂ１〜５００＿ｂ４および換気扇５００＿ｃ１〜５００＿ｃ４は、換気扇５００＿ａ１〜５００＿ａ４および換気扇５００＿ｄ１〜５００＿ｄ４の風下に位置し、かつ風を直接的には受けない。また、換気扇５００＿ａ１〜５００＿ａ４および換気扇５００＿ｄ１〜５００＿ｄ４によって天井裏９６０に外気が供給される。それゆえ、換気扇５００＿ｂ１〜５００＿ｂ４および換気扇５００＿ｃ１〜５００＿ｃ４に上述した排気動作を行わせることにより、効率的な天井裏９６０の換気が実現できる。
【００７８】
風向きが他の向きの場合（すなわち、Ｎｏ．２，Ｎｏ．３,Ｎｏ．５〜Ｎｏ．８の向きの場合）にも、コントローラ１１０がデータテーブルＤ６に基づいた換気扇５００の動作制御を行うことにより、同様の利点が得られる。
【００７９】
このように、換気システム１では、コントローラ１１０は、風の向きに応じて、各換気扇５００の羽５５０の回転方向を制御する。具体的には、コントローラ１１０は、風の向きに逆らわないように、各換気扇５００による天井裏９６０への給気と天井裏９６０からの排気とを制御する。詳しくは、コントローラ１１０は、風圧を補助として、天井裏９６０の換気を行う。
【００８０】
それゆえ、換気システム１によれば、風向を考慮せずに換気扇５００を駆動させる構成に比べて、換気扇５００の駆動に要する費用を低減可能となる。
【００８１】
＜Ｅ．機能的構成＞
図９は、主として、コントローラ１１０の機能的構成を説明するための機能ブロック図である。
【００８２】
図９を参照して、コントローラ１１０は、室温情報取得部１１１と、外気温情報取得部１１２と、風向風速情報取得部１１３と、降雨情報取得部１１４と、指令生成部１１５と、送信部１１６とを備える。
【００８３】
室温情報取得部１１１は、温度センサ１２０から送信された電気信号を受信する。室温情報取得部１１１は、電気信号の電圧値に基づいて、室内９４０の温度を判断する。
【００８４】
外気温情報取得部１１２は、温度センサ１３０から送信された電気信号を受信する。外気温情報取得部１１２は、電気信号の電圧値に基づいて、建物９００の周囲の外気温を判断する。
【００８５】
このように、コントローラ１１０は、温度センサ１２０から室内の温度情報を取得し、かつ温度センサ１３０から外気の温度情報を取得する。
【００８６】
信号変換器１６０は、風向風速計１４０による検出結果を、コントローラ１１０が処理可能な信号形式になるように変換する。風向風速情報取得部１１３は、信号変換器１６０によって変換された信号を取得する。風向風速情報取得部１１３は、少なくとも、建物９００の周囲の風の向きを示す風向情報を取得する。
【００８７】
信号変換器１７０は、感雨センサ１５０による検出結果を、コントローラ１１０が処理可能な信号形式になるように変換する。降雨情報取得部１１４は、信号変換器１７０によって変換された信号を取得する。降雨情報取得部１１４は、建物の周囲の降雨の有無を表す降雨情報を取得する。
【００８８】
なお、風向風速計１４０による検出結果と感雨センサ１５０による検出結果とを、コントローラ１１０が直接取り込める場合には、信号変換器１６０，１７０は必要ではない。
【００８９】
室温情報取得部１１１によって取得された室温の情報と、外気温情報取得部１１２によって取得された外気温の情報と、風向風速情報取得部１１３によって取得された風向風速情報と、降雨情報取得部１１４によって取得された降雨情報とは、指令生成部１１５に送られる。
【００９０】
指令生成部１１５は、各換気扇５００をどのような状態にすべきかを決定し、かつ決定された内容に基づく制御指令を生成する。具体的には、指令生成部１１５は、室温の情報と、外気温の情報と、風向風速情報と、降雨情報とに基づき、各換気扇５００をどのような状態にすべきか決定し、かつ決定された内容に基づく制御指令を生成する。
【００９１】
制御指令は、換気扇５００の動作を制御するための指令である。制御指令は、換気扇５００の駆動の有無（駆動または停止）と、駆動時の回転方向（正回転または逆回転）と、シャッターの開閉指令とを含む。
【００９２】
指令生成部１１５は、周期的に制御指令を生成する。詳しくは、指令生成部１１５は、建物９００の外気温が室温よりも低いことを条件に、制御指令を生成する。さらに詳しくは、本例では、指令生成部１１５は、降雨でないことを条件に、制御指令を生成する。指令生成部１１５は、生成された制御指令を各換気扇５００に送信するために、当該制御指令を通信インターフェイスである送信部１１６に送る。
【００９３】
指令生成部１１５は、複数の換気扇５００のうち、どの換気扇５００を駆動させるかを決定する。指令生成部１１５は、複数の換気扇５００のうち、どの換気扇５００をどちらの方向に回転させるかを決定する。具体的には、指令生成部１１５は、データテーブルＤ６に基づき、各換気扇５００の駆動の有無および、駆動時の回転方向を決定する。
【００９４】
詳しくは、指令生成部１１５は、上述したように、風向情報とデータテーブルＤ６とに基づき、各換気扇５００の駆動の有無および、駆動時の回転方向を決定する。なお、データテーブルＤ６を用いた具体的な決定手法については、図６等に基づいて既に説明したので、ここでは説明を繰り返さない。
【００９５】
より詳しくは、本例では、指令生成部１１５は、風速が所定の閾値Ｔｈ＿Ｌ未満であることを条件に、各換気扇群５０のうちの少なくとも１つの換気扇群５０の換気扇５００を駆動させる制御指令を生成する。閾値Ｔｈ＿Ｌとしては、たとえば強風時の風速（たとえば１５ｍ／秒）を用いることができる。
【００９６】
また、指令生成部１１５は、換気扇５００のシャッター５７０を開状態とすべきか、あるいは閉状態とすべきかを決定する。指令生成部１１５は、風速情報に基づき、換気扇５００のシャッター５７０を開状態とすべきか、あるいは閉状態とすべきかを決定する。シャッター５７０の開閉の具体例については、後述する（図１０）。
【００９７】
生成された制御指令は、送信部１１６によって、各換気扇５００に送信される。本例では、同じ換気扇群５０の換気扇５００に対しては、同一の制御指令が送信される。
【００９８】
以上のように、コントローラ１１０は、少なくとも、建物９００の周囲の風の向きを示す風向情報を取得する風向風速情報取得部１１３と、建物９００の外壁９０１において異なる方角を向いて設置され、かつ建物９００の室内９４０の天井裏９６０を換気する複数の換気扇５００の動作を制御する制御指令を生成する指令生成部１１５と、制御指令を各換気扇に送信する送信部１１６とを備える。指令生成部１１５は、建物９００の外気の温度が室内９４０の温度よりも低いことを条件に、風向情報に基づき制御指令を生成する。
【００９９】
＜Ｆ．制御構造＞
図１０は、コントローラ１１０が実行する処理の流れを表したフロー図である。
【０１００】
図１０を参照して、ステップＳ１において、コントローラ１１０は、制御周期が到来したか否かを判断する。当該制御周期は、たとえば１０分である。
【０１０１】
制御周期が到来していないと判断された場合（ステップＳ１においてＮＯ）、コントローラ１１０は、処理をステップＳ１に進める。制御周期が到来したと判断された場合（ステップＳ１においてＹＥＳ）、コントローラ１１０は、ステップＳ２において、感雨センサ１５０から降雨情報を取得する。
【０１０２】
ステップＳ３において、コントローラ１１０は、降雨情報に基づいて、降雨状態であるか否かを判断する。降雨状態であると判断された場合（ステップＳ３においてＹＥＳ）、コントローラ１１０は、処理をステップＳ１に進める。降雨の際に換気扇５００を動作させてしまうと、雨が天井裏９６０に入ってしまう。それゆえ、建物９００にダメージを与える。それゆえ、上述したように、降雨状態と判断された場合には、処理をステップＳ１に戻す。
【０１０３】
降雨状態でないと判断された場合（ステップＳ３においてＮＯ）、コントローラ１１０は、ステップＳ４において、温度センサ１２０から室温情報を取得する。ステップＳ５において、コントローラ１１０は、温度センサ１３０から外気温情報を取得する。ステップＳ６において、コントローラ１１０は、外気温と室温とを比較する。本例では、コントローラ１１０は、外気温が室温よりも低いか否かを判断する。
【０１０４】
外気温が室温よりも低くないと判断された場合（ステップＳ６においてＮＯ）、コントローラ１１０は、処理をステップＳ１に進める。外気温が室温よりも低くない（すなわち、外気温が室温よりも高い場合）に換気扇５００によって天井裏９６０に外気を取り込むと、室温が上昇してしまう。このため、室温が外気温よりも高くない場合には、処理をステップＳ１に戻す。
【０１０５】
外気温が室温よりも低いと判断された場合（ステップＳ６においてＹＥＳ）、ステップＳ７において、コントローラ１１０は、風向風速計１４０から風速情報と風向情報とを取得する。
【０１０６】
ステップＳ８において、コントローラ１１０は、風速情報に基づく風速と、上述した閾値Ｔｈ＿Ｌよりも大きい閾値Ｔｈ＿Ｈ未満とを比較する。本例では、コントローラ１１０は、風速が閾値Ｔｈ＿Ｈ未満であるか否かを判断する。閾値Ｔｈ＿Ｈとしては、たとえば暴風時の風速（たとえば３０ｍ／秒）を用いることができる。
【０１０７】
風速が閾値Ｔｈ＿Ｈ未満でないと判断された場合（ステップＳ８においてＮＯ）、ステップＳ９において、コントローラ１１０は、全ての換気扇５００のシャッター５７０を閉状態に制御する。風速が閾値Ｔｈ＿Ｈ未満でない場合（すなわち、風速が３０ｍ／秒以上である場合）にシャッター５７０を閉状態にする理由は、「風による羽５５０の強制回転によって換気扇５００が損傷してしまう」ことを防止するためである。
【０１０８】
風速が閾値Ｔｈ＿Ｈ未満であると判断された場合（ステップＳ８においてＹＥＳ）、ステップＳ１０において、コントローラ１１０は、風速情報に基づく風速と、上述した閾値Ｔｈ＿Ｌ（たとえば、１５ｍ／秒）とを比較する。本例では、コントローラ１１０は、風速が閾値Ｔｈ＿Ｌ未満であるか否かを判断する。
【０１０９】
風速が閾値Ｔｈ＿Ｌ未満でないと判断された場合（ステップＳ１０においてＮＯ）、ステップＳ１２において、コントローラ１１０は、全ての換気扇５００を停止状態に制御する。コントローラ１１０は、全ての換気扇５００に対して停止指令を送信する。あるいは、コントローラ１１０は、駆動している換気扇５００に対してのみ停止指令を送信する。さらに、ステップＳ１３において、コントローラ１１０は、全ての換気扇５００のシャッター５７０を開状態に制御する。なお、風上側は正圧であるため、風上側の換気扇５００のシャッター５７０を開けば、負圧である風下側の換気扇５００から空気を建物９００の外部へと逃がすことができる。
【０１１０】
風速が閾値Ｔｈ＿Ｌ未満でない場合（すなわち、風速が１５ｍ／秒以上である場合）に全ての換気扇５００を停止状態とし、かつシャッター５７０を開状態にする理由は、風に力のみで換気扇５００を回転させるためである。このような制御を行うことにより、換気扇５００をモータで駆動させる場合に比べて、天井裏９６０の換気に要する消費電力を低減させることができる。
【０１１１】
風速が閾値Ｔｈ＿Ｌ未満であると判断された場合（ステップＳ１０においてＹＥＳ）、ステップＳ１１において、コントローラ１１０は、風向情報およびデータテーブルＤ６に基づいて、換気扇５００の動作を制御する。すなわち、図６〜図８等に基づいて説明したように、コントローラ１１０は、風の向きに応じて、各換気扇５００の回転方向を制御する。具体的には、換気扇５００の消費電力を低減するために、コントローラ１１０は、風の向きに逆らわないように、各換気扇５００の羽５５０の回転方向を制御する。
【０１１２】
＜Ｇ．ハードウェア構成＞
図１１は、コントローラ１１０のハードウェア構成の典型例を表した図である。
【０１１３】
図１１を参照して、コントローラ１１０は、主たる構成要素として、プログラムを実行するプロセッサ１１と、データを不揮発的に格納するＲＯＭ（Read  Only  Memory）１２と、プロセッサ１１によるプログラムの実行により生成されたデータ、又は入力装置を介して入力されたデータを揮発的に格納するＲＡＭ（Random  Access  Memory）１３と、データを不揮発的に格納するフラッシュメモリ１４と、通信ＩＦ１５と、時計１６とを備える。
【０１１４】
各構成要素は、相互にデータバスによって接続されている。なお、通信ＩＦ１５は、本例では、他の各種機器と間における通信を行うためのインターフェイスである。
【０１１５】
コントローラ１１０における処理は、各ハードウェアおよびプロセッサ１１により実行されるソフトウェアによって実現される。このようなソフトウェアは、フラッシュメモリ１４に予め記憶されている場合がある。また、ソフトウェアは、その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、読取装置によりその記憶媒体から読み取られて、あるいは、通信ＩＦ１５等を介してダウンロードされた後、フラッシュメモリ１４に一旦格納される。そのソフトウェアは、プロセッサ１１によってフラッシュメモリ１４から読み出され、ＲＡＭ１３に実行可能なプログラムの形式で格納される。プロセッサ１１は、そのプログラムを実行する。
【０１１６】
同図に示されるコントローラ１１０を構成する各構成要素は、一般的なものである。したがって、本開示の本質的な部分は、ＲＡＭ１３、フラッシュメモリ１４、記憶媒体に格納されたソフトウェア、あるいはネットワークを介してダウンロード可能なソフトウェアであるともいえる。なお、コントローラ１１０の各ハードウェアの動作は周知であるので、詳細な説明は繰り返さない。
【０１１７】
＜Ｈ．変形例＞
（１）上記においては、図７等に基づき説明したように、風上側の換気扇５００の回転方向を天井裏９６０に給気がなされる方向に回転させるとともに、風下側の換気扇５００の回転方向を天井裏９６０から排気がなされる方向に回転させる例を説明した。しかしながら、これに限定されるものではない。
【０１１８】
たとえば、風下側の換気扇５００を停止状態としてもよい。天井裏９６０に給気を行なうと、天井裏９６０の気圧を一定に保つべく、天井裏９６０から排気も行われるためのである。ただし、風下側の換気扇５００を駆動する方が、停止する場合に比べて、換気の効率を上げることができる。
【０１１９】
あるいは、風上側の換気扇５００を停止状態としてもよい。天井裏９６０から外部へ排気を行なうと、天井裏９６０の気圧を一定に保つべく、天井裏９６０へ空気が風上側の停止中の換気扇５００を介して流入するためのである。ただし、風上側の換気扇５００を駆動する方が、停止する場合に比べて、換気の効率を上げることができる。
【０１２０】
（２）上記においては、吸排気が可能な換気扇５００を例に挙げて説明した。すなわち、正回転および逆回転が可能な換気扇５００を例に挙げて説明した。しかしながら、これに限定されるものではない。
【０１２１】
たとえば、１台の換気扇５００の代わりに、排気専用の換気扇と給気専用の換気扇とのセットを用いてもよい。たとえば、排気専用の換気扇と給気専用の換気扇とを外壁９０１の貫通穴９０９内に並べて設置してもよい。
【０１２２】
この場合、コントローラ１１０は、図６のデータテーブルＤ６に示した給気および排気の関係に基づき、風向きに応じて、上記セットのうちの排気専用の換気扇と給気専用の換気扇との一方を駆動すればよい。
【０１２３】
（３）上記では、室温と外気温とを温度センサ１２０，１３０によって検出し、かつ、コントローラ１１０は、建物９００の外気温が室温よりも低いことを条件に、風向情報に基づき各換気扇５００の動作を制御する例を説明した。しかしならが、室温と外気温との検出は必ずしも必要ではない。
【０１２４】
たとえば夏場の夜間の時間帯（特に深夜時間帯）では、建物９００の外気温が室温よりも低くなることが知られている。すなわち、このような時間帯（詳しくは、所定の日にち（あるいは季節、月）における所定の時間帯）になったことが、建物９００の外気温が室温よりも低いことを間接的に表すことなる。このように、コントローラ１１０は、温度センサ１２０，１３０を用いずに、建物９００の外気温が室温よりも低くなっているか否かを判定してもよい。
【０１２５】
（４）風向風速計１４０を建物９００の屋上９０３に設置する代わりに、建物９００の外壁９０１に風圧を測るセンサ（図示せず）を設けて、風向を検知してもよい。なお、風速が早ければ、検知される風圧も強くなる。これにより、風向を知ることができる。
【０１２６】
（５）風向風速計１４０は、建物９００に設置されていなくてもよい。建物９００に対する風の向きが判断できればよいため、風向風速計１４０は、たとえば建物９００の周辺に設置されていてもよい。
【０１２７】
（６）上記においては、換気システム１が、温度センサ１３０と、風向風速計１４０と、感雨センサ１５０とを備える構成を例に挙げて説明した。しかしながら、温度センサ１３０と、風向風速計１４０と、感雨センサ１５０とは、必ずしも必要ではない。
【０１２８】
コントローラ１１０は、気象データの提供を行っている公共または民間の機関（気象庁等）のサーバ装置等から、建物９００の周辺の気象データ（外気温と、風速と、風向と、降雨情報等）を取得してもよい。このような構成によれば、換気システム１のハードウェア構成を簡略化できる。
【０１２９】
（７）上記においては、天井裏９６０に換気扇５００を設ける構成を例に挙げた。天井裏９６０に換気扇５００を設けた理由は、室内９４０から換気扇５００が見えないようにするためである。すなわち、外観面を考慮したためである。このため、外観面を考慮しなければ、天井裏９６０ではなく、室内９４０に換気扇５００を設けることも可能である。
【０１３０】
（８）上記においては、複数の外壁９０１の各貫通穴９０９に換気扇５００が設置されている例を挙げて説明したが、これに限定されるものではない。換気扇５００が、建物９００の複数の外壁９０１の各々に設置されていればよい。たとえば図１では、換気扇５００が貫通穴９０９に埋め込まれている状態を示したが、換気扇５００は貫通穴９０９に必ずしも埋め込まれている必要はない。すなわち、筐体５４０が貫通穴９０９に収容されている必要は必ずしもない。
【０１３１】
たとえば換気扇５００をダクトスリーブに接続しておき、かつ当該ダクトスリーブを貫通穴９０９に挿入し、かつ貫通穴９０９に固定してもよい。なお、この場合にも、各換気扇５００の向き（換気扇５００の取付姿勢、図３，図４におけるＺ軸方向）は、図２に示した状態と同じにすればよい。このような構成によれば、換気扇５００の筐体５４０は外壁９０１（詳しくは外壁面）から飛び出ることになるが、貫通穴９０９の直径を小さくすることができる。スリーブを利用することを条件に、換気扇５００の向きを図２に示した状態と同様にする限り、換気扇５００の取付位置は適宜変更し得る。
【０１３２】
また、上記のようにダクトスリーブを用いる場合には、換気扇５００を外壁９０１ではなく、建物９００の柱あるいは梁に固定部材により固定することも可能である。
【０１３３】
さらに述べれば、互いに異なる方角を向くように複数の換気扇５００が建物９００に設置されていればよい。この場合、データテーブルＤ６内のデータを各換気扇５００の向きに応じて適宜変更すればよい。
【０１３４】
（９）上記においては、建物９００の全ての外壁９０１に換気扇５００が設置された構成を例に挙げて説明したが、必ずしも全ての外壁９０１に換気扇５００が設置されている必要はない。たとえば、４つの外壁９０１のうちの３つ外壁９０１のみに換気扇５００が備えられている場合であっても、換気扇５００の消費電力を低減できる。
【０１３５】
（１０）換気システム１における制御は、天井裏が存在しない建物（たとえば、三角屋根の家畜用の建物（牛舎、豚舎等））にも適用可能である。屋根の下部付近の外壁に換気扇５００を設け、上述したような風向情報に基づく各換気扇の制御を行ってもよい。このような構成の場合、効率的に建物内を冷やすことが可能となる。
【０１３６】
＜Ｉ．付記＞
（１）プログラムは、建物の周囲の風の向きを示す風向情報を取得するステップと、各々が異なる方角を向いた状態で前記建物の複数の外壁に設置され、かつ前記建物の室内の天井裏を換気する複数の換気扇の動作を制御するステップと、をコントローラのプロセッサに実行させる。複数の換気扇の動作を制御するステップでは、前記建物の外気の温度が前記室内の温度よりも低いことを条件に、前記風向情報に基づき各前記換気扇の動作を制御する。
【０１３７】
（２）プログラムを記録したコンピュータ読み取り可能な記録媒体（たとえば、一時的ではない記録媒体）であって、前記プログラムは、建物の周囲の風の向きを示す風向情報を取得するステップと、各々が異なる方角を向いた状態で前記建物の複数の外壁に設置され、かつ前記建物の室内の天井裏を換気する複数の換気扇の動作を制御するステップと、をコントローラのプロセッサに実行させる。複数の換気扇の動作を制御するステップでは、前記建物の外気の温度が前記室内の温度よりも低いことを条件に、前記風向情報に基づき各前記換気扇の動作を制御する。
【０１３８】
今回開示された実施の形態はすべての点で例示であって制限的なものではないと考えられるべきである。本開示の範囲は上記した説明ではなくて請求の範囲によって示され、請求の範囲と均等の意味および範囲内でのすべての変更が含まれることが意図される。
【符号の説明】
【０１３９】
１  換気システム、５０Ａ  第１換気扇群、５０Ｂ  第２換気扇群、５０Ｃ  第３換気扇群、５０Ｄ  第４換気扇群、１１０  コントローラ、１１１  室温情報取得部、１１２  外気温情報取得部、１１３  風向風速情報取得部、１１４  降雨情報取得部、１１５  指令生成部、１１６  送信部、１２０，１３０  温度センサ、１４０  風向風速計、１５０  感雨センサ、１６０，１７０  信号変換器、５００  換気扇、５４０  筐体、５５０  羽、５６０  フィルタ、５７０  シャッター、７１０，７２０，８９０  矢印、９００  建物、９０１  外壁、９０２  窓、９０３  屋上、９０９  貫通穴、９４０  室内、９５０  天井、９６０  天井裏、９７０  床面、９８０  床下、９９０  コア、Ｄ６  データテーブル。
【要約】
換気システムは、各々が異なる方角を向いた状態で建物（９００）に設置され、かつ建物（９００）の室内の天井裏を換気する複数の換気扇（５００）と、各換気扇（５００）の動作を制御するコントローラと、を備える。コントローラは、建物（９００）の周囲の風の向きを示す風向情報を取得する。コントローラは、建物（９００）の外気の温度が室内の温度よりも低いことを条件に、風向情報に基づき各換気扇（５００）の動作を制御する。【図１】
0006956922.tif 000002
【図２】
0006956922.tif 000003
【図３】
0006956922.tif 000004
【図４】
0006956922.tif 000005
【図５】
0006956922.tif 000006
【図６】
0006956922.tif 000007
【図７】
0006956922.tif 000008
【図８】
0006956922.tif 000009
【図９】
0006956922.tif 000010
【図１０】
0006956922.tif 000011
【図１１】
0006956922.tif 000012